(57)【要約】  本開示は、軸の中心線のまわりに駆動されるように構成された軸と、軸と一緒に回転するために軸の第１端部に配置され、少なくとも第１の機能面を含み、脱毛器または脱毛器用アタッチメントの外部部分である、エンドプレートと、を含み、機能面を有する第１の挟み込み要素であって、エンドプレートの第１の機能面が、第１の挟み込み要素の機能面と向かい合って配置され、２つの機能面が互いに接触する閉位置が繰り返し得られるように、エンドプレートに対して近接または離隔するように繰り返し動かされるように構成される第１の挟み込み要素と、を含む、脱毛器用アタッチメントまたは脱毛器に関する。
2016516511.tif 000002
【特許請求の範囲】
【請求項１】
脱毛器用の挟み込みヘッド（１００）を備えたアタッチメント（１０）または脱毛器であって、
軸の中心線（Ａ）のまわりに駆動されるように構成された軸（４０）であって、軸線方向に動かないようにロックされた軸（４０）と、
前記軸と一緒に回転するために前記軸（４０）の第１端に配置され、少なくとも第１の機能面（１１１Ａ）を有し前記脱毛器または脱毛器用の前記アタッチメントの外部ハウジング部分である前記エンドプレート（１１０）と、を含み、
前記挟み込みヘッド（１００）が、
前記アタッチメント（１０）の側面で毛を抜くように配置され、
機能面（１２１Ａ）を有する第１の挟み込み要素（１２０Ａ）であって、
前記エンドプレート（１１０）の前記第１の機能面（１１１Ａ）が、前記第１の挟み込み要素１２０Ａの前記機能面（１２１Ａ）と向かい合って配置され、
前記２つの機能面が互いに接触する閉位置が繰り返し得られるように、前記エンドプレート（１１０）に対して近接または離隔するように繰り返し動かされるように構成される第１の挟み込み要素（１２０Ａ）と、
第２の挟み込み要素（１２０Ｂ）とを含む、脱毛器用アタッチメント（１０）または脱毛器。
【請求項２】
少なくとも軸線方向に弾性を持ち、前記軸に対して軸線方向の位置関係で固定された第１のストッパ要素に対して配置された第１端部を有する弾性要素と、
前記弾性要素の第２端部に接触し、前記エンドプレートに向けて軸線方向に隆起された軸方向突出部を有する機能面を有する圧力板と、をさらに含む請求項１に記載の脱毛器用アタッチメントまたは脱毛器。
【請求項３】
前記第１の挟み込み要素と結合された少なくとも第１のアクチュエータであって、前記圧力板の前記機能面と少なくとも断続的に摺接するように構成される第１のアクチュエータをさらに含み、
前記第１の挟み込み要素の前記機能面と前記エンドプレートの前記第１の機能面が、前記閉位置に移動されるように、前記第１のアクチュエータが、前記圧力板の前記軸方向突出部上で摺動する場合、該第１のアクチュエータが、前記エンドプレートに向けて軸線方向に移動可能となるように構成された、請求項２に記載の脱毛器用アタッチメントまたは脱毛器。
【請求項４】
前記第２の挟み込み要素と結合された少なくとも第２のアクチュエータを含み、前記第２の挟み込み要素が、前記第１の挟み込み要素から円周方向にずらされて配置され、必要に応じて、前記第２の挟み込み要素が、前記第１の挟み込み要素から軸線方向にもずらされた、請求項３に記載の脱毛器用アタッチメントまたは脱毛器。
【請求項５】
前記エンドプレートが、前記第２の挟み込み要素の機能面と向かい合って配置された第２の機能面を有し、必要に応じて、前記エンドプレートの前記第２の機能面が、前記エンドプレートの前記第１の機能面から軸線方向にずらされた、請求項１乃至４のいずれか一項に記載の脱毛器用アタッチメントまたは脱毛器。
【請求項６】
前記エンドプレートが、前記第２の挟み込み要素の機能面と向かい合って配置された第３の機能面を有し、前記エンドプレートの前記第３の機能面が、前記エンドプレートの前記第１の機能面から軸線方向にずらされた、請求項１乃至５のいずれか一項に記載の脱毛器用アタッチメントまたは脱毛器。
【請求項７】
前記エンドプレートが、互いにそれぞれ軸線方向にずらされたいくつかの機能面を含み、前記エンドプレートの前記機能面における前記軸線方向のずれが、前記エンドプレートからの様々な軸方向突出部、または、各機能面について前記エンドプレートの一部分の異なる厚さによってもたらされる、請求項１乃至６のいずれか一項に記載の脱毛器用アタッチメントまたは脱毛器。
【請求項８】
クロージャ要素が、前記エンドプレートに対して軸線方向に傾斜させて止められて設けられ、特に、前記止めが、特に、少なくとも１本の軸線方向に延在するピンによって少なくとも一部が実現される軸線方向に延在する接続構造によって実現される、請求項１乃至７のいずれか一項に記載の脱毛器用アタッチメントまたは脱毛器。
【請求項９】
前記第１のアクチュエータを導くための少なくとも第１のガイド構造を含み、特に、前記第１のガイド構造が、前記少なくとも１つの軸線方向に延在するピンのような前記軸線方向に延在する接続構造の一部分によって実現される、請求項１乃至８の少なくとも一項に記載の脱毛器用アタッチメントまたは脱毛器。
【請求項１０】
特に、前記クロージャ要素および前記エンドプレートを止める前記軸線方向に延在する接続構造の一部分である軸線方向に延在する接続構造によって、前記エンドプレートに対して軸線方向に傾斜させて止められたセンタープレートをさらに含む、請求項１乃至９の少なくとも一項に記載の脱毛器用アタッチメントまたは脱毛器。
【請求項１１】
付加的な前記第１の挟み込み要素の機能面と向かい合って配置された少なくとも第１の機能面をさらに含み、前記両方の機能面が、前記２つの機能面が互いに接触する閉位置が繰り返し得られるように、前記エンドプレート（１１０）に対して近接または離隔するように繰り返し動かされるように構成された、請求項１乃至１０の少なくとも一項に記載の脱毛器用アタッチメントまたは脱毛器。
【請求項１２】
前記エンドプレートの前記第１の機能面と前記第１の挟み込み要素の前記機能面とが、軸線方向の幅を有するギャップが、前記２つの機能面の間に広がる開位置に、付勢されるように、少なくとも第１のばね要素が、前記第１の挟み込み要素と前記エンドプレートとの間に配置される請求項１乃至１１の少なくとも一項に記載の脱毛器用アタッチメントまたは脱毛器。
【請求項１３】
少なくとも第１の挟み込み要素および前記第１のアクチュエータが、一体部品として実現された、請求項１乃至１２の少なくとも一項に記載の脱毛器用アタッチメントまたは脱毛器。
【請求項１４】
前記圧力板が、前記軸が時計回り方向に回転された場合、前記軸のまわりの第１の角度位置をとり、前記軸が反時計回り方向に回転された場合、第２の角度位置をとるように構成された、請求項１乃至１３の少なくとも一項に記載の脱毛器用アタッチメントまたは脱毛器。
【請求項１５】
前記アタッチメントが、前記ハンドルおよび前記アタッチメントの両方に設けられたスナップ要素によって脱毛器のハンドルに脱着可能に構成された、請求項１乃至１４の少なくとも一項に記載のアタッチメント。
【請求項１６】
使用者の手で保持されるハンドルをさらに含み、前記ハンドルが、前記軸の中心線に対して傾けられた保持用軸線を画定する、請求項１乃至１５のいずれか一項に記載のアタッチメントを備えた脱毛器。
【請求項１７】
前記軸の中心線に沿って延在するか、あるいは、前記軸の中心線と平行に延在する駆動軸を有する駆動ユニットをさらに含む、請求項１６に記載のアタッチメントを備えた脱毛器。
【発明の詳細な説明】
【技術分野】
【０００１】
本発明は、脱毛器用アタッチメントまたは毛を挟み込むための挟み込みヘッドを有する脱毛器に関する。
【背景技術】
【０００２】
脱毛器、特に、顔面脱毛に適した脱毛器を提供することができ、小さい顔面皮膚領域を正確に処理するために脱毛器のハウジングエッジの近くに挟み込み要素が配置されることが知られている。そのような脱毛器は、一般に、文献欧州特許公開第６０１，００３Ａ１号公報に記載されている。
【０００３】
米国特許Ａ２，４００，２２７号から、脱毛器の端面に配置されたエンドプレートを含み、このエンドプレートが、単一挟み込み要素と協働して両方の間に単一ギャップを形成し、このギャップが挟み込み要素の周囲とエンドプレートの全体に断続的に開閉して間に捕らえた毛を一度に抜き取る脱毛器が知られている。
【０００４】
本開示の目的は、特に、正確な顔面脱毛に適しかつ既知の装置より改善された脱毛器または脱毛器用アタッチメントを提供することである。
【先行技術文献】
【特許文献】
【０００５】
【特許文献１】欧州特許公開第６０１，００３Ａ１号公報
【特許文献２】米国特許第２，４００，２２７号
【発明の概要】
【課題を解決するための手段】
【０００６】
一態様によれば、軸の中心線のまわりに駆動されるように構成された軸と、軸と一緒に回転するために軸の第１端部に配置され、少なくとも第１の機能面を含み、脱毛器または脱毛器用の前記アタッチメントの外部部分である前記エンドプレートと、を含み、機能面を含む第１の挟み込み要素であって、エンドプレートの第１の機能面は、第１の挟み込み要素の機能面と向かい合って配置され、２つの機能面が互いに接触する閉位置が繰り返し得られるように、エンドプレートに対して近接または離隔するように繰り返し動かされるように構成される第１の挟み込み要素と、を含む、脱毛器用アタッチメントまたは脱毛器が提供される。
【０００７】
一態様によれば、提案されたようなアタッチメントと、使用者の手に保持されるハンドルとを含む脱毛器が提供され、ハンドルは、軸の中心線に対して傾けられた保持用軸線を画定する。
【図面の簡単な説明】
【０００８】
本開示は、さらに、特に図と関連した、脱毛器用アタッチメントまたは脱毛器の例示的実施形態の詳細な説明によって明らかにされる。
【図１Ａ】アタッチメントを含む脱毛器の例示的実施形態の図である。
【図１Ｂ】図１Ａに示された脱毛器の中心で切断された長手方向の断面図である。
【図２Ａ】脱毛器用アタッチメントの例示的実施形態の図である。
【図２Ｂ】図２Ａに示された長手方向に切開された脱毛器用アタッチメントの図である。
【図３Ａ】本開示による挟み込みヘッドの例示的実施形態の斜視図である。
【図３Ｂ】図３Ａに示された挟み込みヘッドの分解図である。
【図３Ｃ】図３Ａに示された長手方向に切開された挟み込みヘッドの図である。
【図４】本開示による脱毛器または脱毛器用アタッチメントに使用されることがあるエンドプレートの斜視図である。
【図５】本開示による脱毛器または脱毛器用アタッチメントに使用されることがあるセンタープレートの斜視図である。
【図６】本開示による脱毛器または脱毛器用アタッチメントで使用されることがある一体部品として実現された挟み込み要素と関連アクチュエータの斜視図である。
【図７】本開示による脱毛器または脱毛器用アタッチメントに使用されることがあるクロージャ要素の斜視図である。
【図８】本開示による脱毛器または脱毛器用アタッチメントに使用されることがある圧力板の斜視図である。
【図９Ａ】軸が時計回り方向に回転する状態でハウジング内に取り付けられた圧力板上の正面図である。
【図９Ｂ】軸が反時計回り方向に回転する状態でハウジング内に取り付けられた圧力板上の正面図である。
【発明を実施するための形態】
【０００９】
以下に、１組の同一または少なくとも類似の特徴に使用されうる用語を紹介する。例えば、用語「挟み込み要素」が使用される。個々の挟み込み要素は、「第１の挟み込み要素」、「第２の挟み込み要素」など、または「第１の付加的な挟み込み要素」、「第２の付加的な挟み込み要素」などと名付けられ、また、第１，第２などの挟み込み要素ならびに任意の付加的な挟み込み要素を含む群が「挟み込み要素」と呼ばれることがある。
【００１０】
以下に、脱毛器または脱毛器用アタッチメントの例示的実施形態の詳細な説明が示され、検討された実施形態のうちの１つに共に示された特徴が、必ずしも示された組立体でのみ開示されることを意味するように解釈されるべきでないことに注意されたい。当業者は、当然ながら、本開示による脱毛器または脱毛器用アタッチメントの特定の実現に妥当な特徴だけを検討し、本開示の趣旨および範囲との矛盾しない限り他のものを棄却する。即ち、全ての特徴は、個別に開示されると見なされ、また例示的実施形態のいずれか１つにおいて、２つまたはそれ以上の特徴を共に示すことによる強制関係は意図されない。
【００１１】
さらに、図示された例示的実施形態が、挟み込み要素などの特定数の特定の特徴を有するが、本開示による脱毛器または脱毛器用アタッチメントが、例えば１つの挟み込み要素だけを含んでもよく、２つまたは任意の他の数の挟み込み要素を含んでもよいことに注意されたい。
【００１２】
図と関連して詳細な説明が示される前に、以下に脱毛器または脱毛器用アタッチメントのより一般的な説明を行う。
【００１３】
上の要約の節で開示されたような脱毛器または脱毛器用アタッチメントについて言及するエンドプレートが、第１の挟み込み要素の機能面と相互作用する（それにより、閉じて毛を挟み込んで最終的にその毛を皮膚から抜くことができる毛抜きが構成される）第１の機能面を含み、エンドプレートが、脱毛器またはアタッチメントの外側部分なので、脱毛器またはアタッチメントの外縁を、第１の毛抜きのきわめて近く、即ち、毛を挟み込むことができる機能面の間の第１のギャップのきわめて近くに実現することができる。特に、エンドプレートが、脱毛器またはアタッチメントの外側面（即ち、使用者の皮膚と接触するように意図された外側面、または換言するとハウジング面）と毛抜きの第１の機能面とを含む一体部品（即ち、単一片要素）なので、エンドプレートは、操作中にエンドプレートに印加されることがある挟み込み力に絶えることができる構造的に堅固な物体を保証するのに必要な軸線方向の厚さであるだけでよい。したがって、エンドプレートは、その一方の側に、脱毛器／アタッチメントの端面または端部ハウジング面を構成し、他方の側に、挟み込み要素と一緒に毛を挟むための第１の機能面を構成する。挟み込み力は、既知のように、閉じた毛抜きが皮膚に対して移動されて毛が皮膚から引き抜かれるときに、挟み込んだ毛を挟み込んだままにしなければならない。エンドプレートは、プラスチック（特に、充填プラスチック）で作成されてもよく、エンドプレートの構造安定性を保証するために、０．５ｍｍまたは１．０ｍｍの最小軸線方向厚で十分なことがある。また、最小厚をさらに小さくするために金属で作成されたエンドプレートが使用されてもよいが、これにより製造コストが増大し、金属は皮膚で冷たく感じられる。
【００１４】
いくつかの実施形態では、脱毛器またはアタッチメントは、さらに、軸線方向（即ち、少なくとも軸の中心線に平行な方向）に撓むばねなどの弾性要素を含み、この弾性要素は、一端部（エンドプレートに対して遠位にある）が、軸に対して軸線方向関係で固定され、例えば、第１のストッパ要素が、軸またはハウジングと固定接続される（即ち、軸が軸線方向運動に対して止められる）。次に、弾性要素の他端部は、機能面（エンドプレートに向いている）を含む圧力板に接触してもよく、その機能面は、軸線方向に延在する突出部を含む。したがって、弾性要素は、ストッパ要素によって軸線方向運動に対して止められている間、軸線方向に圧縮されたとき、即ち、圧力板が弾性要素の他端部を押すときに復帰力を提供することができる。
【００１５】
いくつかの実施形態では、脱毛器またはアタッチメントは、さらに、少なくとも、第１の挟み込み要素と結合された第１のアクチュエータを含む。第１のアクチュエータは、次いで動作中に圧力板の機能面と少なくとも断続的に摺接するように構成される。したがって、エンドプレートから遠位にある第１のアクチュエータの端部は、圧力板の機能面における軸線方向突出部の一部分と少なくとも摺接してもよい。第１のアクチュエータは、軸線方向突出部の上を摺動するときに、エンドプレートに近づく軸線方向（およびエンドプレートから遠ざかる方向）に移動できるように構成される。次に、第１のアクチュエータは、向かい合って配置されたエンドプレートの第１の機能面と第１の挟み込み要素の機能面とが、軸線方向幅を有するギャップが間に広がる開位置から、それらの面が締め付け接触する閉位置に動くように、第１の挟み込み要素をエンドプレートに近づける。軸線方向突出部は、軸線方向に、軸線方向ギャップ幅より高くてもよく、したがってエンドプレート、第１の挟み込み要素および第１のアクチュエータの一体構造が、圧力板をエンドプレートから軸線方向に押し、圧力板は、弾性要素を圧縮し、これにより、弾性要素によってもたらされる復帰力によって、閉じた機能面の間に挟み込み力が生成される。
【００１６】
いくつかの実施形態では、他の閉鎖力が、第１のばね要素のばね力に打ち勝たない間は、第１のばね要素が、２つの機能面を開位置に維持するように、第１のばね要素（軸線方向に延在することがある）が、エンドプレートと第１の挟み込み要素との間に配置される。第１のばね要素は、弾性要素のばね定数と比較して相対的に低いばね定数を含んでもよい。ばね要素は、例えば、コイルばねとして実現されてもよく、さらに、長い毛がコイルばねの巻線の間に挟み込まれ、したがって第１のばね要素が、毛の挟み込みと引き抜きを支援するように構成されてもよい。
【００１７】
いくつかの実施形態では、少なくとも第２の挟み込み要素が提供され、第２の挟み込み要素は、エンドプレートの第２の機能面と向かい合って配置された機能面を含みもよい。エンドプレートの第２の機能面は、エンドプレートの第１の機能面から円周方向に、必要に応じて軸線方向にもずらされてもよい。同様に、第２の挟み込み要素は、第１の挟み込み要素から円周方向に、必要に応じて（その開位置で）軸線方向にもずらされてもよい。第２の挟み込み要素は、第２のアクチュエータと結合されてもよい。いくつかの実施形態では、第３の挟み込み要素が存在してもよく、さらに、第４の挟み込み要素が存在してもよく、必要に応じて第５の挟み込み要素が存在してもよく、さらに他の挟み込み要素が存在してもよい。したがって、第１群の挟み込み要素は、１乃至５個の挟み込み要素を含んでもよく、さらに、そのような群は、提供された第１群に対して軸線方向にずらされてもよい。いくつかの実施形態では、挟み込み要素は、３６０度全体にわたるように配置されてもよい（製造公差による小さいギャップを有する可能性がある）。あるいは、挟み込み要素は、３６０度未満にわたるように配置されてもよく、それにより、円周方向にずれた挟み込み要素の間に角距離ができ、例えば、５個の挟み込み要素はそれぞれ、５０度にわたってもよく、したがって、隣り合った挟み込み要素の間に２２度の距離があってもよい。各挟み込み要素は、それ自体のアクチュエータと１対１に関係付けられてもよい。したがって、エンドプレートは、互いにそれぞれ各軸線方向にずらされたいくつかの機能面を含み、エンドプレートの機能面における軸線方向のずれは、エンドプレートからの様々な軸線方向の突出と、各機能面についてエンドプレートの一部分の異なる厚さとよってもたらされる。
【００１８】
いくつかの実施形態では、例えば、軸線方向に延在するピンによって少なくとも一部が実現されることがある軸線方向に延在する接続構造によって、エンドプレートに対して軸線方向に傾斜させて止められるクロージャ要素が存在してもよい。いくつかの実施形態では、軸線方向に延在する接続構造は、複数の軸線方向に延在するピンを含んでもよい。クロージャ要素は、特に、少なくとも第１のアクチュエータを導くための第１のガイド構造を含み、必要に応じて、クロージャ要素は、各アクチュエータのガイド構造を含んでもよい。いくつかの実施形態では、第１のガイド構造は、軸線方向に延在する接続構造の一部分、例えば軸線方向に延在するピンによって実現されてもよい。
【００１９】
いくつかの実施形態では、脱毛器またはアタッチメントは、さらに、軸線方向に延在する接続構造、例えば少なくとも第１の軸線方向に延在するピンによって、エンドプレートに対して軸線方向に傾斜させて止められたセンタープレートを含む。係る実施形態では、クロージャ要素は、軸線方向に延在する接続構造によって、センタープレートに対して軸線方向に傾斜させて止められてもよい。いくつかの実施形態では、センタープレートは、センタープレートをエンドプレートと結合するための２本以上の軸線方向に延在するピンを含み、これにより、軸線方向に延在する接続構造が、センタープレートによって一体的に実現されてもよい。センタープレートは、少なくとも第１の機能面が提供する圧力板の方に向いた機能的側面を含んでもよい。いくつかの実施形態では、センタープレートの第１の機能面と向かい合って配置された機能面を含む付加的な第１の挟み込み要素が提供される。付加的な第１の挟み込み要素および第１の追加アクチュエータが結合されてもよい。前述したように、さらに付加的な他の挟み込み要素（自体の付加的なアクチュエータとそれぞれ結合され、センタープレートのそれぞれの機能面と向かい合って配置される機能面をそれぞれ含む）が存在してもよく、必要に応じて、そのような付加的な挟み込み要素はそれぞれ、エンドプレートと協働する挟み込み要素に関して前述したように、円周方向と必要に応じて軸線方向に互いにずらされてもよい。したがって、センタープレートを使用することによって、１個以上の付加的な挟み込み要素の更なる周辺配置を提供することができる。いくつかの実施形態では、センタープレートは、センタープレートをクロージャ要素と結合する軸線方向に延在するピンによって、軸線方向に傾斜させて止められてもよい。そのような組立体では、エンドプレート、センタープレートおよびクロージャ要素は、互いに堅く接続され、挟み込み要素とアクチュエータの骨組み構造を提供する。
【００２０】
いくつかの実施形態では、少なくとも第１の挟み込み要素および第１のアクチュエータが一体部品として製造される。この一体部品は、特に、プラスチック射出成形法によって作成されてもよく、その場合、強化プラスチック材料（例えば、ガラス繊維が充填された）が使用されてもよい。
【００２１】
いくつかの実施形態では、圧力板は、軸が時計回り方向に回転された場合、軸のまわりの第１の角度位置をとり、軸が反時計回り方向に回転された場合、軸のまわりの第２の角度位置をとる。これにより、両方の回転方向の閉位置を、固定ハウジングに対して同じ角度位置にシフトすることができる。
【００２２】
図１Ａは、本開示による脱毛器１の例示的実施形態の図である。脱毛器１は、特に、顔面皮膚領域などの小領域（例えば、眉毛または鼻の近くの皮膚領域）を脱毛するのに適することがある。脱毛器１は、挟み込みヘッド１００を含むアタッチメント１０と、ハンドル２０とを含む。ハンドル２０は、使用者の手に保持されるように構成される。ハンドル２０は、脱毛器１の電源を入れたり切ったりするかつ／または挟み込みヘッドの回転方向を切り替える（即ち、時計回り回転と反時計回り回転を切り替える）ためのスイッチ２１を含んでもよい。ハンドル２０は、保持されて、使用者の親指がスイッチ２１を操作できるように意図されてもよい。スイッチ２１の反対側には、滑り止め特性を高めるためのエラストマ面２２が配置されてもよい。アタッチメントは、管状ハウジング１１を含んでもよく、追加として、挟み込みヘッド１００の側面を覆うための保護キャップ１２を含んでもよい。挟み込みヘッド１００は、アタッチメント１０の側面で毛を脱毛するように構成される。いくつかの実施形態では、アタッチメント１０は、保持用軸線Ｌに対して傾けられた軸の中心線Ａに沿って延在してもよく、その結果、操作において、挟み込みヘッド１００の機能面（即ち、脱毛面）が、使用者の皮膚と位置合わせされたとき、ハンドル２０が、皮膚からは離れるように延在し、これにより、完全に単一軸に沿って延在する脱毛器とは対照的な脱毛器の操作が容易になる。保持用軸線Ｌと軸の中心線Ａの傾斜角度Ｗは、約２度乃至約３０度の範囲でよい。いくつかの実施形態では、アタッチメント１０は、ハンドル２０に対して繰り返し脱着できるように構成され、その結果、アタッチメント１０は、磨耗した場合に新しいアタッチメントと交換することもでき、または回転駆動または振動駆動するように構成されたブラシを含むことがあるブラシアタッチメント、マッサージアタッチメント、剥離アタッチメントなどの別の機能アタッチメントと交換することもできる。また、アタッチメント１０とハンドル２０はそれぞれ、協働スナップ要素（例えば、一方の側のスナップフックと他方の側の協働アンダーカット）などの両方の部分を共に脱着可能に結合するための協働結合構造を含んでもよい。スナップ要素は、ハンドルとアタッチメントの間に、挟み込み要素の軸線方向の単純な動きによって（スナップ解除ボタンを押す必要なしに）互いにスナップ嵌めし解除できるスナップ嵌め接続を提供する。
【００２３】
以前の導入段落によれば、例えば、エラストマ面２２または保護キャップ１２は、当然ながら、明らかに当業者によって選択されまたは放棄されうる特徴のものであり、したがって、互いに関連して、さらには図１Ａに示された他のすべての特徴と関連してのみ開示されると見なされるべきではない。係る特徴は、本発明の趣旨に影響を及ぼすことなく放棄されうる。以下のいくつかの特定のさらに他の例に加えて、個々に開示されたと見なされる考察されたすべての特徴に関しては、熟練者には明らかなはずであり、開示全体が実際的に解読しにくくなるので、具体的に示されない。
【００２４】
図１Ｂは、図１Ａに示された脱毛器１の長手方向の断面である。ハンドル２０は、直流電動機などの駆動ユニット３１に電気的に結合されうるバッテリや充電式アキュムレータなどのエネルギー源３０を含むことができる。エネルギー源３０の長手方向の広張軸は、保持用軸線Ｌと平行でよい。駆動ユニット３１は、いくつかの実施形態では、アタッチメント１０の軸の中心線Ａと平行または同一の駆動軸Ｂに沿って延在する駆動軸３２を含んでもよい（したがって、駆動軸は、保持用軸線Ｌがアタッチメント１０の軸の中心線Ａに対して傾けられた実施形態では、保持用軸線Ｌに対して傾けられる）。ハンドル２０は、さらに、動作において軸４０が駆動されるように駆動ユニット３１の駆動軸３２をアタッチメント１０の軸４０と結合する歯車ユニット３３を含んでもよい。軸４０は、軸コネクタ要素４１を含み、それを介して軸４０を歯車ユニット３３に結合する。
【００２５】
図２Ａは、切り離された状態で示されたアタッチメント１０の描写である。図１Ａおよび図１Ｂと同じ特徴は、同じ参照数字によって示される。
【００２６】
図２Ｂは、図２Ａに示されたアタッチメント１０の長手方向の断面である。アタッチメント１０は、中空で実質的に管状のハウジング１１、挟み込みヘッド１００、保護キャップ１２、および図１Ａと図１Ｂに示されたようなアタッチメント１０の軸の中心線Ａと一致することがある軸の中心線Ｃを有する軸４０を含む。軸４０は、軸受５０によって支持され、いくつかの実施形態では、様々な軸線方向位置にある少なくとも２個の軸受が、軸４０の軸の中心線Ｃの安定化を改善するために提供される。示された例示的実施形態では、軸受５０は、止め要素５１によって軸４０と軸線方向の位置関係で固定され、止め要素５１は、後でさらに詳細に説明されるように、力伝達を閉じる働きもする。さらに、この場合、軸線方向に止められた軸受５０，５１は、第１のストッパ要素としても働く。いくつかの実施形態では、軸受は、どこか他の場所に構成されてもよく、第１のストッパ要素は、軸４０上に止められた止め要素によって実現されてもよく、第１のストッパ要素は、ハウジング１１の突出部によって実現されてもよい。軸線方向（即ち、軸の中心線Ｃの方向）に柔軟な弾性要素６０は、止め要素５１と共に第１のストッパ要素を実現する軸受５０の第１端部と接触する。弾性要素６０は、ばね定数を含み、即ち、弾性要素６０は、軸線方向に圧縮されたとこに復帰力を提供する。弾性要素６０の軸線方向の第２端部は、圧力板７０の裏側と接触する。弾性要素６０は、コイルばねや皿ばね（または、積み重ねた皿ばね）などのばねによって実現されてもよい。軸４０は、軸の中心線Ｃのまわりに駆動され回転するように構成され、アタッチメント１０が取り付けられた状態で、軸４０が結合要素４１を介して結合されうる駆動ユニットによって軸４０を回転させることができる。
【００２７】
図３Ａは、第１のストッパ要素を実現する軸線方向止め軸受５０、弾性要素６０および圧力板７０と共に軸４０に取り付けられた挟み込みヘッド１００の例示的実施形態の側面図である。挟み込みヘッド１００は、ここで、エンドプレート１１０、センタープレート１４０およびクロージャ要素１７０を含む。また、図３Ｂと図３Ｃを参照すると、挟み込みヘッド１００は、互いに円周方向と軸線方向にずらされた１組５個の挟み込み要素１２０Ａ、１２０Ｂなど（即ち、第１の挟み込み要素、第２の挟み込み要素など）を含む。図４と図６に関してさらに後で詳しく説明されるように、エンドプレート１１０は、５つの機能面（即ち、第１の機能面、第２の機能面など）を含み、各機能面は、挟み込み要素１２０のうちの異なる要素の機能面と向かい合って配置される。機能面は、軸の中心線に実質的に垂直な平面で延在する。示された実施形態では、エンドプレート１１０の５つの機能面は、実質的に３６０度にわたり、したがって各機能面は、約７２度にわたる。例えば、エンドプレート１１０の第１の機能面と、それと関連した第１の挟み込み要素１２０の対応するそれぞれの機能面は、軸線方向の幅を有するギャップが２つの機能面の間に広がる開位置と、エンドプレート１１０の第１の機能面が第１の挟み込み要素の機能面と接触する閉位置とを有する。閉位置で機能面の間に挟み込まれた毛は、最終的に皮膚から引き抜かれる。エンドプレート１１０の機能面は、各機能面とそれに対応する挟み込み要素のそれぞれの機能面との間のギャップが、軸線方向に重ならないか、一定程度（例えば、軸線方向幅の２０％未満）に重なるように、軸線方向にずらされて配置されてもよい。示された実施形態の挟み込みヘッド１００は、さらに、互いから円周方向と軸線方向にずらされた１組５個の付加的な挟み込み要素１５０Ａ、１５０Ｂなど（即ち、付加的な第１の挟み込み要素、付加的な第２の挟み込み要素など）を含む。図５に関して後で説明されるように、センタープレート１４０は、また円周方向と軸線方向にずらされた５つの機能面（即ち、第１の機能面、第２の機能面など）を含んでもよい。エンドプレート１１０の機能面と挟み込み要素１２０Ａ，１２０Ｂなどの機能面に関して述べたことは全て、必要な変更を加えて、センタープレート１４０の機能面と付加的な挟み込み要素１５０Ａ，１５０Ｂなどの機能面にも当てはまるものとする。
【００２８】
後でより詳しく説明されるように、各挟み込み要素は、アクチュエータと結合されてもよい（即ち、第１の挟み込み要素１２０Ａが第１のアクチュエータ１３０Ａと結合され、第２の挟み込み要素１２０Ｂが第２のアクチュエータ１３０Ｂと結合され、付加的な第１の挟み込み要素１５０Ａが付加的なアクチュエータ１６０Ａと結合される、など）。示された実施形態では、アクチュエータは、クロージャ要素１７０を越えて圧力板７０の方に軸線方向に延在するようにクロージャ要素１７０によって導かれたロッド状要素である。また、後でさらに詳しく説明されるように（図８）、圧力板７０は、関連した挟み込み要素の遠位にあるアクチュエータの端部に面する機能面を含んでもよく、この端部は、クロージャ要素１７０を越えて延在する。圧力板７０の機能面は、アクチュエータの端部の方に軸線方向に延在する軸線方向突出部７１を含んでもよい。軸４０と一緒に回転されるとき、アクチュエータは、アクチュエータの端部が、圧力板７０の機能面と少なくとも断続的に摺接するように構成され、特に、軸線方向突出部７１の上で少なくとも部分的に摺動するように構成される。次に、アクチュエータと、したがって関連した挟み込み要素は、エンドプレート１１０（または、センタープレート１４０）の方に軸線方向に移動され、その結果、それぞれの挟み込み要素の機能面は、２つの機能面の間のギャップが閉じられて向かい合って配置された機能面が互いに接触するまで、エンドプレート１１０（または、センタープレート１４０）の対応するそれぞれの向かい合って配置された機能面に近づく。次に、弾性要素６０は、軸線方向に圧縮されてもよく、接触した機能面が毛を挟み込む、挟み込み力を提供する。軸４０と軸線方向関係で固定され、弾性要素６０が軸線方向に接触する第１のストッパ要素は、力伝達を閉じる機能を提供し、即ち、第１のストッパ要素は、挟み込み要素とエンドプレート（または、センタープレート）の関連機能面を連続的に閉じるプロセスで生じる力に、大きな変形や破壊なしに耐えるように構成されなければならない。
【００２９】
図３Ｂは、挟み込みヘッド１００の斜視分解図である。いくつかの実施形態では、第２のストッパ要素４２が、軸４０と固定接続され、第２のストッパ要素４２は、一方で、エンドプレート１１０が軸４０のそれぞれの端部と実質的に面一になるようにエンドプレート１１０のストッパを提供し、他方で、エンドプレートのくぼみとぴったりと（代替または追加として、圧力ばめで）結合し、したがって、軸４０が回転された場合、エンドプレート１１０を回転させる働きをする係合要素を提供する。いくつかの実施形態では、エンドプレート自体は、軸に直接固定されてもよく（例えば、溶接、接着などによって）、軸と一体化されてもよく、いかなる軸線方向の動きも効果的に抑制されるように軸においてストッパ要素によって固定されてもよい。エンドプレート１１０は、１組の円周方向と軸線方向にずらされた機能面１１１Ａ、１１１Ｂ、１１１Ｃ、１１１Ｄ、および１１１Ｅの組を有する（１個の挟み込み要素だけを含む一実施形態では、エンドプレートは１つの機能面だけを含み、２個の挟み込み要素を含む実施形態では、エンドプレートは円周方向および／または軸線方向に互いにずらされてもよい２つの機能面を含んでもよいことは明らかである）。第１の機能面１１１Ａの中心より下に、ばね要素１８０Ａを収容するための空所またはくぼみ１１２Ａが配置されてもよく、同様に、そのような空所が、他の機能面の下に実現されてもよい。向き合って配置された空洞またはくぼみの少なくとも一方は、それぞれのばね要素が摺動されてもよい中央ピンを備えてもよい。あるいは、１つの事例では少なくとも、そのような中央ピンだけが、空所またはくぼみの代わりに存在してもよい。１組５個の挟み込み要素１２０Ａ、１２０Ｂ、１２０Ｃ、１２０Ｄおよび１２０Ｅは、各挟み込み要素の機能面が、エンドプレート１１０の機能面のうちの１つと向かい合って配置されるように配置される。より一般に、エンドプレートと第１の挟み込み要素との間に、閉じる力がばね要素の力に打ち勝つまでこれらの部分を開位置に維持するばね要素が配置されもよい。
【００３０】
図６に関して、各挟み込み要素の機能面の下に空所またはくぼみ１２２Ａが、この空所がエンドプレート１１０内のそれぞれの空所と向かい合って（即ち、反対側に）配置されるように提供されてもよい。各対の反対側に配置された空所は、ばね要素１８０Ａ，１８０Ｂなどのうちの１つの端部を収容してもよい。ばね要素１８０Ａ，１８０Ｂなどは、後で詳述されるように、対応するそれぞれの挟み込み要素が閉鎖力によって付勢されない限り、向かい合って配置された機能面を、開位置に、即ち軸線方向の幅を有するギャップが機能面の間に広がる位置に維持するために提供される。軸線方向ギャップ幅は、約０．０５ｍｍ乃至約２．０ｍｍの範囲でよい。示された実施形態では、挟み込み要素１２０Ａ、１２０Ｂ、１２０Ｃ、１２０Ｄおよび１２０Ｅはそれぞれ、対応するそれぞれのアクチュエータ１３０Ａ、１３０Ｂ、１３０Ｃ、１３０Ｄおよび１３０Ｅと結合される（１対１で）。
【００３１】
ここで、挟み込み要素とそれぞれの関連アクチュエータはそれぞれ、一体部品として実現され、この一体部品は、プラスチック射出成形によって、特に、強化プラスチック材料（例えば、ガラス繊維が充填されたプラスチック材料）から製造されうる。これは、いくつかの実施形態では、挟み込み要素とそれぞれの関連アクチュエータの少なくともいくつかが、別個の部品として実現されることを除外しないものとする。
【００３２】
エンドプレート１１０とクロージャ要素１７０との間に、センタープレート１４０が配置されてもよい。センタープレート１４０は、１組５本の軸線方向に延在するピン１４８Ａ、１４８Ｂ、１４８Ｃ、１４８Ｄおよび１４８Ｅを含んでもよく、その少なくとも１本は、組み立て中にエンドプレートのそれぞれの空所に圧入されるように構成されてもよい。センタープレート１４０は、また、１組５本の軸線方向に延在する付加的なピン１４９Ａ、１４９Ｂ、１４９Ｃ、１４９Ｄおよび１４９Ｅを含み、その少なくとも１本は、組み立て中にクロージャ要素１７０のそれぞれの空所に圧入されるように構成される。それぞれの軸線方向に延在する（付加的な）ピンは、２個の隣りの（付加的な）挟み込み要素の横向きの半円形切欠きと協働するように構成され、したがって、（付加的な）挟み込み要素のガイド構造としても働く。したがって、センタープレート１４０は、示された例示的実施形態では、クロージャ要素をセンタープレートと接続しセンタープレートをエンドプレートと接続するための軸線方向に延在する接続構造と一体的に実現される。いくつかの実施形態では、軸線方向に延在する（付加的な）ピンは、エンドプレート（クロージャ要素）と一体的に実現されてもよく、それに対して、いくつかの実施形態では、軸線方向に延在するピンは、別個の部分として配置されてもよい。いくつかの実施形態では、軸線方向に延在する（付加的な）ピンの少なくとも１本は、エンドプレートまたはセンタープレート（クロージャ要素）と一体的に実現されてもよく、少なくとも１本の軸線方向に延在するピンは、別個の部品でもよい。
【００３３】
エンドプレート１１０と挟み込み要素１２０Ａ乃至１２０Ｅの組立体に関して述べたように、センタープレート１４０は、１組５個の付加的な挟み込み要素１５０Ａ、１５０Ｂ、１５０Ｃ、１５０Ｄおよび１５０Ｅのそれぞれの機能面と向かい合って配置された、互いに軸線方向と円周方向にずらされた機能面から５つを含んでもよい。この場合も、ばね要素１９０Ａ，１９０Ｂなどは、機能面の下（即ち、それぞれの機能面より軸４０に近い半径方向位置に）に実現された（場合によっては円形の）空洞の対（特に、中央ピンを含むことがある）に収容され、その結果、向かい合って配置された機能面は、開位置に維持され、その開位置では、それぞれの付加的な挟み込み要素が、締付力によって付勢されない限り、軸線方向の幅を有するギャップが機能面の間に広がる。この場合も、付加的な挟み込み要素１５０Ａ、１５０Ｂ、１５０Ｃ、１５０Ｄおよび１５０Ｅはそれぞれ、１個の付加的なアクチュエータ１６０Ａ、１６０Ｂ、１６０Ｃ、１６０Ｄおよび１６０Ｅと結合され、この場合も、付加的な挟み込み要素と関連アクチュエータは、それぞれの場合に、別個の要素の代わりに一体部品として実現されてもよい。１組の付加的な挟み込み要素は、１組の挟み込み要素に対して円周方向にずらされ（ここでは、３６度、即ち、挟み込み要素の角度幅の半分だけ）、その結果、アクチュエータと付加的なアクチュエータが、円周方向に交互に配置される。
【００３４】
クロージャ要素１７０は、アクチュエータと付加的なアクチュエータを導くために、１０個の実質的に矩形で軸線方向に延在するガイド構造１７１Ａ、１７１Ｂなどと１７２Ａ、１７２Ｂなどとを含む。いくつかの実施形態では、アクチュエータの少なくとも１つが、矩形断面の代わりに、円形、楕円形、三角形などの断面を有する。いくつかの実施形態では、少なくとも２個のアクチュエータは、異なる断面形状を有する。アクチュエータと付加的なアクチュエータの長さは、付勢されない状態で、すべて同じ軸線方向位置に延在する（即ち、圧力板に向かってクロージャ要素を越える）ように選択される。
【００３５】
図３Ｃは、軸４０に取り付けられた、組み立てられた挟み込みヘッド１００の縦断面である。図３Ａと図３Ｂに示されたものと同じ特徴は、同じ参照番号に割り当てられる。
【００３６】
後でより詳細に説明されるように、圧力板７０は、軸が回転された場合、軸のまわりに一定の角度位置を有し、したがって圧力板７０は、軸と一緒に回転しない（圧力板７０は、反時計回り方向に回転された場合ではなく時計回り方向に回転された場合に軸のまわりの異なる角度位置を有し、したがって、圧力板７０の軸のまわりにある程度自由な回転が与えられるように構成されてもよい）。図８と共に図３Ａから分かるように、圧力板７０上の軸線方向突出部７１の円周方向位置は、挟み込み要素が開位置から閉位置に移動された位置を決定し、その位置で、挟み込み要素のうちの１つとエンドプレート（または、付加的な挟み込み要素のうちの１つとセンタープレート）の向かい合って配置された機能面が互いに接触する。軸線方向突出部７１は、中央プラトー部分７１Ａを含み、２つのランプ部分７１Ｂおよび７１Ｃが、プラトー部分７１Ａの２つの円周方向側面に配置される。前述したように、アクチュエータ１３０Ａ，１３０Ｂ．．．と１６０Ａ、１６０Ｂなどの軸線方向端部１３１Ａ，１３１Ｂ.．．．と１６１Ａ，６１Ｂなどは、圧力板７０の機能面７２と少なくとも断続的の摺動係合するように構成され、即ち、アクチュエータの端部は少なくとも、回転方向に応じて、軸線方向突出部７１のランプ部分７１Ｂおよび７１Ｃのうちの１つと、それぞれ摺接し始める。いくつかの実施形態では、アクチュエータの端部は、常に、圧力板の機能面７２と一定の摺接してもよく、一方、他の実施形態では、アクチュエータの軸線方向端部は、系内の摩擦エネルギー損を減少させために軸線方向突出部７１の機能面７２外側と摺接しないように構成されてもよい。したがって、第１のアクチュエータ１３０Ａの遠位端部１３１Ａが、ランプ部分７１Ｂと摺接するとき、第１のアクチュエータ１３０Ａは、エンドプレート１１０の方に移動され、それにより、関連した第１の挟み込み要素１２０Ａを、第１のばね要素１８０Ａの付勢力に逆らってエンドプレート１１０の方に移動させる。典型的には、アクチュエータ１３０Ａの軸線方向端部１３１Ａが、プラトー部分７１Ａに達したとき、第１の挟み込み要素１３０Ａの向かい合って配置された機能面とエンドプレート１１０の第１の機能面が、閉位置にあり、即ち、互いに接触する。アクチュエータが、ランプ部分７１Ｂ（または、７１Ｃ）に沿ってプラトー部分７１Ａの方に移動するとき、圧力板が、弾性要素６０（図３Ａを参照）の方に押され、弾性要素が圧縮され、したがって、第１のアクチュエータ１３０Ａの軸線方向端部１３１Ａがプラトー部分７１Ａの上で摺動している間一定の挟み込み力が増強される。閉じた機能面の間に挟み込まれた毛は、機能面を押してわずかに開き、これにより、弾性要素６０が付加的に圧縮され、したがって挟み込み力がさらに増大する。向かい合って配置された機能面は、第１のアクチュエータ１３０Ａの端部１３１Ａがプラトー部分７１Ａの上で摺動する限り閉位置にある。プラトー部分７１Ａは、挟み込みヘッドが皮膚に対して回転している間に機能面の間に挟み込まれた毛が皮膚から引き抜かれるように選択された角度範囲にわたる。この場合も、機能面は、第１のアクチュエータ１３０Ａの軸線方向端部１３１Ａが、第��のランプ部分７１Ｃ（または７１Ｂ）に沿って下方に摺動し、開く力がいかなる閉じる力よりも大きくなった（または、閉じる力が消えた）ときに、ばね要素１８０Ａのばね力によって再び開かれる。
【００３７】
図４は、エンドプレート１１０の例示的実施形態の機能的側の斜視図である。エンドプレート１１０は、機能側の半径方向外縁上に配置された第１の機能面１１１Ａを含む。第１の機能面１１１Ａの下に半径方向に、エンドプレート１１０と第１の挟み込み要素１３０Ａ（図６を参照）との間に配置された第１のばね要素を収容するための第１の空所１１２Ａが提供され、その結果、第１の挟み込み要素１３０Ａが、締付力によってエンドプレート１１０の方に付勢されない限り、第１の挟み込み要素１３０Ａの機能面が、エンドプレート１１０の第１の機能面１１１Ａに対して一定距離に維持される。図４に示されたように、第１の空所は、第１のばね要素１８０Ａを保持しかつ／または中心決めするために中央軸線方向に延在する突出部を含んでもよい。エンドプレート１１０は、また、センタープレート１４０の軸線方向に延在するピン１４８Ａ（図５を参照）を収容するための第１のピン空所１１３Ａを含んでもよい。明らかに、ピン空所（または、ピン空所（複数））は、任意であり、さらに、設けられた場合に、ピン空所は、クロージャ要素からのピンを収容してもよい。エンドプレート１１０は、いくつかの実施形態では、２つ以上の機能面１１１Ａ、１１１Ｂ．．．を含んでもよく、これらの機能面は、特に、エンドプレート１１０の半径方向外縁に円周方向にずらされて配置されてもよく、この機能面は、必要に応じて（代替的にまたは追加的に）、様々な軸線方向レベルに配置されてもよく、即ち、機能面が、軸線方向にずれて配置されてもよい。示された例示的実施形態では、エンドプレート１１０は、５つの機能面１１１Ａ，１１１Ｂ，１１１Ｃ，１１１Ｄ，１１１Ｅと、それぞればね要素を収容するための５つの空所１１２Ａ乃至１１２Ｅと、５つのピン空所１１３Ａ乃至１１３Ｅとを含む。機能面はそれぞれ、７２度の角度幅にわたってもよいが、各機能面は、例えば異なる軸線方向レベル間で９０度の壁ができない製造上の理由で、実質的により小さい角度幅（例えば、６０度）にのみにわたってもよい。いくつかの実施形態では、機能面は、様々な角度幅にわたってもよい。
【００３８】
図５は、本開示による脱毛器または脱毛器用アタッチメントのいくつかの実施形態で使用されることがあるセンタープレート１４０の例示的実施形態の斜視図である。特に、１組の付加的な挟み込み要素の使用を容易にするためにセンタープレート１４０が使用されてもよい。センタープレート１４０は、エンドプレート１１０（図４を参照）のそれぞれのピン空所１１３Ａによって収容されるように構成された端部分を含む第１の軸線方向に延在するピン１４８Ａを含んでもよい。センタープレート１４０は、特に、エンドプレート１１０のそれぞれのピン空所によって収容されるように構成された端部を含む２本以上の軸線方向に延在するピン１４８Ａ、１４８Ｂなどを含んでもよい。示された実施形態では、センタープレート１４０は、５本の軸線方向に延在するピン１４８Ａ乃至１４８Ｅを含む。軸線方向に延在するピンの端部の少なくとも１つとそれぞれのピン空所は、圧入されるように構成されてもよく、これにより、エンドプレート１１０とセンタープレート１４０は、組み立てられた状態で相対的に堅く結合される。さらに、センタープレート１４０は、クロージャ要素のそれぞれの空所１７３Ａによって収容されるように構成された端部を含む第１の軸線方向に延在する付加的なピン１４９Ａを含んでもよい（図７を参照）。この場合も、センタープレート１４０は、特に、２つまたはそれ以上の軸線方向に延在する付加的なピン１４９Ａ、１４９Ｂなどを含んでもよく、この付加的なピンの端部の少なくとも１つは、クロージャ要素のそれぞれのピン空所によって収容されるように構成されてもよい。示された実施形態では、センタープレート１４０は、５本の軸線方向に延在する付加的なピン１４９Ａ乃至１４９Ｅを含む。利用できる構造容積に応じて、さらに多くの組の挟み込み要素を追加し易くするために、１つまたはいくつかのさらに他のセンタープレートが連続的に構成されてもよいことに注意されたい。
【００３９】
前述の軸線方向に延在する（付加的な）ピンは、エンドプレートに対してクロージャ要素を軸線方向に傾斜させて止められる軸線方向に延在する接続構造の一部分であることが述べられる。示され説明されたように、軸線方向に延在する接続構造は、エンドプレートとクロージャ要素との間に配置されたセンタープレートを軸線方向に傾斜させて止められてもよい。いくつかの実施形態では、エンドプレートをクロージャ要素に接続するかエンドプレートをセンタープレートに接続し、またセンタープレートをクロージャ要素と接続する軸線方向に延在する接続構造は、エンドプレート、センタープレートおよび／またはクロージャ要素のうちの少なくとも１つと一体的に実現される代わりに、個別の軸線方向に延在するピンとして実現されてもよい。いくつかの実施形態では、少なくとも１本の軸線方向に延在するピンは、一体部品として実現されてもよく、少なくとも１本の軸線方向に延在するピンは、個々の（即ち、別個）のピンとして実現されてもよい。
【００４０】
センタープレート１４０は、センタープレート１４０の機能側の半径方向外縁に第１の機能面１４１Ａを含でもよく、その第１の機能面１４１Ａは、付加的な第１の挟み込み要素１５０Ａの機能面と向かい合って配置されてもよい（図３Ａ乃至図３Ｃを参照）。特に、センタープレート１４０は、特に、互いに円周方向および／または軸線方向にずらされることがある２つ以上の機能面１４１Ａ、１４１Ｂなどを含んでもよい。エンドプレートに関して説明されたように、センタープレート１４０は、１つ以上の空所１４２Ａ、１４２Ｂなどを含み、各空所は、ばね要素１９０Ａ，１９０Ｂなどを収容するために機能面の下に半径方向に配置される（図３Ｂを参照）。
【００４１】
図６は、第１の挟み込み要素１２０Ａおよび第１の挟み込み要素１２０Ａと関連した第１のアクチュエータ１３０Ａの斜視図である。示された実施形態では、第１の挟み込み要素１２０Ａと第１のアクチュエータ１３０Ａは、例えば、特に、充填プラスチック材料が使用されることがあるプラスチック射出成形プロセスによって一体的に製造される。他の実施形態では、第１のアクチュエータは、第１の挟み込み要素と別である。第１の挟み込み要素１２０Ａは、組み立てられた挟み込みヘッド１００（図３Ａ乃至図３Ｃを参照）において、エンドプレート１１０の第１の機能面１１１Ａと向かい合って配置された機能面１２１Ａを含む（図４を参照）。第１の挟み込み要素１２０Ａは、ばね要素１８０Ａの端部を収容するための空所１２２Ａを含んでもよい（図３Ｂと図３Ｃを参照）。第１の挟み込み要素１２０Ａは、第１の挟み込み要素１２０Ａの周囲側面に切欠き１２３Ａおよび１２４Ａを含んでもよく、切欠き１２３Ａ，１２４Ａは、例えば、ほぼ半円形状を含んでもよい。切欠き１２３Ａ，１２４Ａは、第１の挟み込み要素１２０Ａを半径方向に安定させかつ／または導くための軸線方向に延在するピンを収容することがある。第１のアクチュエータ１３０Ａは、第１の挟み込み要素１２０Ａから遠位にある端部１３１Ａを含む。この遠位端部１３１Ａは、組み立てられた挟み込みヘッド内に、図３Ａ乃至図３Ｃと図８に関して説明されたように圧力板７０の機能面７２と少なくとも断続的に摺接するように配置される。
【００４２】
図７は、クロージャ要素１７０の例示的実施形態の斜視図であり、ここで、前側は、挟み込みヘッドの組み立て状態で、センタープレートに面する（または、センタープレートのない実施形態では、エンドプレートに面する）側である。クロージャ要素１７０は、センタープレートまたはエンドプレートによって提供される軸線方向に延在するピンを収容するために、１個以上のピン空所１７３Ａ，１７３Ｂなどを含んでもよい。明らかに、構成は逆でもよく、クロージャ要素１７０は、軸線方向に延在するピンを含んでもよく、ピン空所と軸線方向に延在するピンの組み合わせを含んでもよい。クロージャ要素１７０は、少なくとも、第１のアクチュエータ１３０Ａを収容し導くためにほぼ矩形断面を含むことがある第１の軸線方向に延在するガイド構造１７１Ａを含んでもよい。クロージャ要素１７０は、アクチュエータ１３０Ａ，１３０Ｂなどを収容するために２つ以上の軸線方向に延在するガイド構造１７１Ａ，１７１Ｂなどを含んでもよい。いくつかの実施形態では、クロージャ要素１７０は、軸線方向に延在するガイド構造１７１Ａ，１７１Ｂなどと交互に配置されることがある付加的なの軸線方向に延在するガイド構造１７２Ａ，１７２Ｂなどを含んでもよい。軸線方向に延在するガイド構造１７１Ａ，１７２Ａ，１７１Ｂ，１７２Ｂなどは、組み立てられた状態で、軸と同軸で配置されてもよい。軸線方向に延在するガイド構造は、特に、それぞれのアクチュエータが実質的に隙間なしに導かれるように寸法決めされてもよい。軸線方向に延在するガイド構造（ならびに、クロージャ要素全体および／または、挟み込み要素、アクチュエータ、センタープレートなどの挟み込みヘッドの他の移動またはガイド構成要素）を画定する壁は、必要に応じて、ポリテトラフルオロエチレン（ＰＴＦＥ）などの低摩擦（即ち、自滑性）材料で作製されてもよい。
【００４３】
図９Ａと図９Ｂは、脱毛器と脱毛器用アタッチメントのハウジング１１の内側に取り付けられた圧力板７０の機能面７２の図を示し、図９Ａは、軸４０（および、したがって挟み込みヘッドも）を、時計回り方向Ｒ１（ここで、時計回りは、観察方向に対して定義される）に回転させるための圧力板７０の角度位置を示し、図９Ｂは、軸４０の反時計回りの方向の場合の圧力板７０の角度位置を示す。前に説明されたように、脱毛器は、時計回り回転と逆時計回り回転を切り替えるためのスイッチを含んでもよい。したがって、これにより、締め付け機能性を維持しながら、脱毛器を右手から左手およびその逆に切り替えることができる。圧力板７０は、実質的に軸４０と結合されておらず、したがって必ずしも軸４０と一緒に回転しないが、機能面７２と（１つまたは複数の）アクチュエータの遠位端部との間の摩擦が、圧力板を回転させる。向かい合って配置された機能面の角度閉鎖位置が、脱毛器のハウジングに対して固定されなければならないので、圧力板７０は、ハウジング１１に設けられたそれぞれの第１のストッパ要素１１Ａと協働して、圧力板７０の更なる回転を止めるストッパ要素７３を含む。反時計回り回転の場合、図９Ａに示された角度位置で圧力板７０を固定することによって、閉鎖が起こらないため、アクチュエータが、第２のランプ部分７１Ｃの上で摺動し、またクチュエータが、第１のランプ部分７１Ｂの上で摺動するとき、閉じる位置が円周方向にずれる。したがって、ハウジング１１は、圧力板の様々な角度位置で圧力板７０のストッパ要素７３と協働して、向かい合って配置された機能面の閉鎖点がハウジング１１に対して同じ角度位置になる第２のストッパ要素１１Ｂを含む。したがって、圧力板７０は、第１と第２の角度位置の間で動かされるように構成される。また、図９Ａと図９Ｂに関して考察した特定の特徴は、本開示で考察された他の特徴から独立しており、したがって付加的な態様を表わすと見なされるべきである。
【００４４】
いくつかの実施形態では、圧力板は、プラスチック基盤と金属板で作成されてもよく、その場合、金属板は、圧力板の機能面の少なくとも一部分を実現し、したがって、圧力板の機能面は、改善された耐磨耗性を有する（より高い製造コストと釣りあう）。本開示の個別の態様は、締め付けシリンダを含む脱毛器／脱毛器用アタッチメントのための圧力板をそのように製造するための個々の態様である考えられうる。
【００４５】
他の特徴と関連して特徴と示されることがある本開示のいくつかの態様は、実際には、本開示の個別の態様と見なされないことがある。これは、例えば、ハンドルの保持用軸線とアタッチメントの軸の中心線との間の傾斜角度に関する。前に検討されたように、そのような傾きは、特に、脱毛器が、締め付け動作を提供する挟み込みヘッドが脱毛器ヘッドの側面（即ち、脱毛器の横面）にある場合に、脱毛器の使用を容易にする。また、これは、軸の回転が時計回りか反時計回りかに応じて、軸のまわりに異なる角度位置を有する圧力板の機構に関係する。
【００４６】
したがって、さらに他の独立した態様によれば、脱毛器は、使用者の手に保持されるハンドルとヘッド部分とを備え、ヘッド部分は、必要に応じて、軸の軸の中心線のまわりに駆動されるように構成された挟み込みヘッドを含む脱着可能なアタッチメントとして構成されてもよく、ハンドルは、軸の中心線に対して傾けられた保持用軸線を画定し、傾き角度は、約１度乃至約４５度の範囲でよい。本開示で述べた他のすべての特徴は、この態様に追加されうる。
【００４７】
したがって、さらに他の個別の態様によれば、脱毛器または脱毛器用アタッチメントは、圧力板を備え、圧力板は、軸が時計回り方向に駆動された場合、軸のまわりの第１の角度位置をとり、軸が反時計回り方向に駆動された場合、第２の角度位置をとるように構成される。本開示で述べた他のすべての特徴は、この態様に追加されうる。
【００４８】
本開示に示された他のすべての特徴は、本明細書に記載された個々の態様に対して、係る個々の態様の範囲と趣旨を侵害しない程度に、個別かつ集合的に追加されうることに注意されたい。
【００４９】
本明細書に開示された大きさおよび値は、記載された正確な数値に厳密に限定されるものと理解されるべきではない。むしろ、特に断らない限り、そのような大きさはそれぞれ、記載された値と、その値の前後の機能的同等範囲の両方を意味するものとする。例えば、「４０ｍｍ」と開示された寸法は、「約４０ｍｍ」を意味するものである。
【図１Ａ】
2016516511.tif 000003
【図１Ｂ】
2016516511.tif 000004
【図２Ａ】
2016516511.tif 000005
【図２Ｂ】
2016516511.tif 000006
【図３Ａ】
2016516511.tif 000007
【図３Ｂ】
2016516511.tif 000008
【図３Ｃ】
2016516511.tif 000009
【図４】
2016516511.tif 000010
【図５】
2016516511.tif 000011
【図６】
2016516511.tif 000012
【図７】
2016516511.tif 000013
【図８】
2016516511.tif 000014
【図９Ａ】
2016516511.tif 000015
【図９Ｂ】
2016516511.tif 000016
【国際調査報告】
2016516511.tif 000017
2016516511.tif 000018